(57)【要約】  【課題】使用者から見えない部位である背中のうぶ毛処理を、カミソリ刃等を用いる場合のように危険を伴うことなく、非常に容易に且つ好適に行うことができるうぶ毛取り器を提供することを課題とする。  【解決手段】背中のうぶ毛を粘着する粘着シートが巻装されたロールと、該ロールが保持されるロール保持部及び該ロール保持部に連設された柄を有するうぶ毛取り器本体とを具備することを特徴とする。【選択図】図１
2011062349.tif 000002
【特許請求の範囲】
【請求項１】
背中のうぶ毛を粘着する粘着シート（２）が巻装されたロール（３）と、該ロール（３）が保持されるロール保持部（４）及び該ロール保持部（４）に連設された柄（５）を有するうぶ毛取り器本体（１）とを具備することを特徴とする背中のうぶ毛取り器。
【請求項２】
ロール（３）の回転を阻止するストッパー（９）が、うぶ毛取り器本体（１）のロール保持部（４）に設けられ、該ストッパー（９）が前記ロール（３）に係止されたときに該ロール（３）の回転が阻止され、前記ストッパー（９）のロール（３）への係止が解除されたときに、前記ロール（３）の回転が可能となるように構成されている請求項１記載のうぶ毛取り器。
【発明の詳細な説明】
【技術分野】
【０００１】
本発明は、背中のうぶ毛を取るための背中のうぶ毛取り器に関するものである。
【背景技術】
【０００２】
うぶ毛の処理は、女性にとっては気になることであり、美肌美容のために日常行われていることである。そのようなうぶ毛の処理は、一般にはカミソリ刃等で行われており、そのようなうぶ毛処理のためのカミソリ刃等についての技術として、たとえば下記特許文献１及び特許文献２のような特許出願がなされている。
【０００３】
しかし、背中のように、自分では見えない部位のうぶ毛処理をカミソリ刃で行うのには危険が伴い、そのような作業は現実には行われていない。その一方で、背中のうぶ毛は、自分では見にくいために目立たないと考えがちであるが、他人からはよく見える部位であり、背中のうぶ毛を気にする女性が多いとの情報も市場調査等で得られている。
【０００４】
一方、カミソリ刃等を用いないうぶ毛毛取り器として、たとえば下記特許文献３のような特許文献もなされている。この特許文献３は、当該特許文献３の請求項１に記載されているように、「離反溝４と離反孔５を設けた糸支持体３に、コイルバネ６を設けた押レバー２を装着し、さらに糸支持体３の二分割先端部７に捩糸１を設けてなる」うぶ毛取器に関する技術を記載したものである。
【０００５】
しかしながら、この特許文献３に記載されたうぶ毛取器は、当該特許文献３の明細書の段落［０００６］にも記載されているように、捩糸を用いてうぶ毛を巻き込んで瞬間的に毛根から絡めて引き抜くという台湾伝統の方法を応用したものであり、瞬間的に毛根から引き抜かなければならないので、いずれにしても、使用者から見えない部位である背中のうぶ毛処理に用いることはできない。
【先行技術文献】
【特許文献】
【０００６】
【特許文献１】特開２００６−１９８３６１号公報
【特許文献２】特開２００７−２６００２４号公報
【特許文献３】実用新案登録第３１２２８６３号公報
【発明の概要】
【発明が解決しようとする課題】
【０００７】
本発明は、このような問題点を解決するためになされたもので、使用者から見えない部位である背中のうぶ毛処理を、カミソリ刃等を用いる場合のように危険を伴うことなく、非常に容易に且つ好適に行うことができるうぶ毛取り器を提供することを課題とするものである。
【課題を解決するための手段】
【０００８】
本発明は、このような課題を解決するためになされたもので、背中のうぶ毛を粘着する粘着シートが巻装されたロールと、該ロールが保持されるロール保持部及び該ロール保持部に連設された柄を有するうぶ毛取り器本体とを具備することを特徴とする背中のうぶ毛取り器を提供するものである。
【０００９】
このような構成からなるうぶ毛取り機器において、ロールの回転を阻止するストッパーを、うぶ毛取り器本体のロール保持部に設け、該ストッパーが前記ロールに係止されたときに該ロールの回転が阻止され、前記ストッパーのロールへの係止が解除されたときに、前記ロールの回転が可能となるように構成することも可能である。
【発明の効果】
【００１０】
本発明のうぶ毛取り機器は、上述のように、背中のうぶ毛を粘着する粘着シートが巻装されたロールと、該ロールが保持されるロール保持部及び該ロール保持部に連設された柄を有するうぶ毛取り器本体とを具備するものであるため、このようなうぶ毛取り器を使用する使用者は、うぶ毛取り器本体の柄を把持し、うぶ毛取り器本体のロール保持部に保持されたロールを背中側に位置させ、該ロールに巻装された粘着シートの先端側を背中に貼着させ、その状態で柄を把持し、ロールを回転させながらうぶ毛取り器本体を背中の上側から下側に向かって移動させると、背中に貼着された粘着シートの先端側が固定状態とされている一方で、その粘着シートを巻装しているロールが、うぶ毛取り器本体の移動に伴って背中の上側から下側に向かって移動することとなり、その結果、ロールに巻装されている粘着シートを下側に引き出すことができ、粘着シートの大きい面積部分を背中に貼着させることが可能となる。
【００１１】
従って、背中のうぶ毛も、上記のようにロールから引き出されて大きい面積部分で背中に貼着された粘着シートに、同時に貼着されることとなる。このようにして粘着シートに背中のうぶ毛が貼着された状態において、把持したうぶ毛取り器本体の柄を背中から遠ざかるように移動させると、背中に貼着されていた粘着シートが背中から強制的に剥ぎ取られることとなり、その結果、うぶ毛を背中から好適に離脱させることができるのである。
【００１２】
このように、本発明においては、ロールに巻装された粘着シートの先端側を背中に貼着させ、その状態でロールを回転させながらうぶ毛取り器本体を背中の上側から下側に向かって移動させて粘着シートを下側に引き出して大きい面積部分を背中に貼着させた上で、うぶ毛取り器本体を背中から遠ざけて粘着シートを背中から強制的に剥ぎ取ることによって、うぶ毛を背中から好適に離脱させることができるので、使用者から見えない部位であるにもかかわらず、背中のうぶ毛処理作業を非常に容易に行うことができるという効果がある。
【００１３】
また、このように粘着シートを背中に貼着させた後、強制的に剥ぎ取ることによってうぶ毛を背中から離脱させることができるので、たとえばカミソリ刃等を用いる場合のように危険を伴うことがないという効果がある。
【００１４】
さらに、ロールの回転を阻止するストッパーを、うぶ毛取り器本体のロール保持部に設け、該ストッパーが前記ロールに係止されたときに該ロールの回転が阻止され、前記ストッパーのロールへの係止が解除されたときに、前記ロールの回転が可能となるように構成した場合には、最初に粘着シートの先端側を背中に貼着させる際には、ストッパーをロールに係止させておくことでロールの回転が阻止され、それによってロールが不用意に移動して粘着シートが不用意に引き出されることがない。従って、固定端側となる粘着シートの先端側を背中に貼着させる作業を容易且つ確実に行うことができる。
【００１５】
一方、ストッパーのロールへの係止が解除されると、ロールの回転が可能となるので、ロールの背中の上側から下側に向かって容易に移動させることができ、それによってロールに巻装された粘着シートは、その粘着シートの自由端側に向かって引き出されることとなり、粘着シートの背中への貼着作業を容易に行うことができる。
【００１６】
さらに、粘着シートを背中から剥ぎ取る場合には、再度ストッパーをロールに係止させてロールの回転を阻止し、ロールの不用意な移動を阻止することで、粘着シートを背中から剥ぎ取る作業を容易に行うことができる。
【図面の簡単な説明】
【００１７】
【図１】一実施形態のうぶ毛取り器の正面図。
【図２】同背面図。
【図３】ロール及び粘着シートをうぶ毛取り器本体から取り外した状態を示すうぶ毛取り器の背面図。
【図４】同うぶ毛取り器の側面図。
【図５】ロール、粘着シート、及びストッパーをうぶ毛取り器本体から取り外した状態を示すうぶ毛取り器の側面図。
【図６】同うぶ毛取り器の平面図。
【図７】図５のＡ−Ａ線断面図。
【図８】図５のＢ−Ｂ線断面図。
【図９】図３のＣ−Ｃ線断面図。
【図１０】ストッパーのロールへの係止状態を示す要部拡大断面図。
【図１１】同係止解除状態を示す要部拡大断面図。
【図１２】ストッパーのロールへの係止状態を解除して粘着シートの引き出しを開始する状態を示す側面図。
【図１３】引き出した粘着シートの先端側を背中に貼着する状態を示す背面図。
【図１４】うぶ毛取り器を背中の上側から下側に向かって移動させる状態を示す背面図。
【図１５】粘着シートを背中から剥ぎ取る直前の状態を示す背面図。
【図１６】粘着シートを背中から剥ぎ取った状態を示す背面図。
【発明を実施するための形態】
【００１８】
以下、本発明の実施形態について図面に従って説明する。一実施形態のうぶ毛取り器は、図１乃至図１０に示すように、うぶ毛取り器本体１と、背中のうぶ毛を粘着する粘着シート２が巻装されたロール３とからなる。
【００１９】
うぶ毛取り器本体１は、前記ロール３が保持されるロール保持部４と、該ロール保持部４に一体的に形成された柄５とで構成されている。ロール保持部４と柄５とは、合成樹脂によって全体が一体形成されている。
【００２０】
粘着シート２は、その一面側に粘着剤が設けられているとともに、他面側には離型剤が設けられており、一面側の粘着剤と他面側の離型剤とが接触するように、ロール３に巻装されている。このように、一面側の粘着剤と他面側の離型剤とが接触するように設けられていることによって、一面側の粘着剤が他面側の離型剤から容易に剥離され、それによって粘着シート２の引き出しを容易に行うことができる。
【００２１】
ロール保持部４は、図７及び図８に示すように、両側部４ａ、４ｂ及び背面部４ｃを有する断面略コ字状に形成されており、それら両側部４ａ、４ｂ及び背面部４ｃで包囲される凹状の部分が、ロール３を収容して保持することのできる収容部４ｄとして形成されている。また柄５は、図１及び図２に示すように、両側がわずかに湾曲した円弧面を有するような形状に形成されている。
【００２２】
そして、図２に示すように、その収容部４ｄ内でロール３が回転自在に保持されることとなる。より具体的には、ロール３は、両側面３ａ、３ａが閉鎖された中空円筒状に形成されており、その両側面３ａ、３ａの中央に軸支ピン６、６が軸支されている。この軸支ピン６、６は、図示しないがバネによって常時外向きに付勢されており、図１０に示すように、ロール３の側面３ａに穿設された孔７、及びうぶ毛取り器本体１のロール保持部４の両側部４ａ、４ｂに穿設された孔８に挿入されている。このように、ロール３の軸支ピン６、６がロール保持部４の孔８に挿入されることによって、ロール保持部４の収容部４ｄ内にロール３が回転自在に保持されているのである。ロール保持部４の孔８には、該孔８にロール３の軸支ピン６を挿入する際に、該軸支ピン６を案内するためのガイド溝１４が連続して形成されている。このようなガイド溝１４が形成されていることによって、そのガイド溝１４に沿って軸支ピン６を案内しつつ、ロール保持部４の孔８に容易に挿入することができる。
【００２３】
ロール保持部４の一側部４ａ側には、図１乃至図４に示すように、ロール３の回転を阻止するためのストッパー９が取り付けられている。ストッパー９は、同図のように、直線部９ａ及び湾曲した曲線部９ｂからなり、全体が略くの字状に形成されている。
【００２４】
ストッパー９の直線部９ａの先端側には、挿入ピン９ｃが内向きに突設されており、その挿入ピン９ｃが保持部４の一側部４ａに穿設された孔１０及びロール３の側面３ａに穿設された孔１１に挿入されることによって、ロール３が回転するのがストッパー９によって阻止されている。
【００２５】
ストッパー９は、軸１３によってロール保持部４の一側部４ａの下部側に回動自在に軸支され、常時は、前記挿入ピン９ｃがロール保持部４の一側部４ａに穿設された孔１０及びロール３の側面３ａに穿設された孔１１に挿入されてストッパー９がロール３に係止されるように、バネ（図示せず）で付勢されている。
【００２６】
このようにストッパー９が常時バネで付勢されてストッパー９がロール３に係止されている場合に、該ストッパー９の直線部９ａが挿入される溝部１５がロール保持部４の一側部４ａに形成されており、ストッパー９のロール３との係止状態を解除する際に、バネの付勢力に抗してストッパー９の曲線部９ｂを回動させたときに、該曲線部９ｂが挿入される溝部１２が、前記溝部１５に連通してロール保持部４の背面部４ｃに形成されている。
【００２７】
次に、上記のような構成からなるうぶ毛取り器を使用する場合について説明すると、先ず、使用者は図１２に示すようにうぶ毛取り器本体１の柄５を一方の手１６ａで把持し、同図に示すように、その一方の手１６ａの指でストッパー９の曲線部９ｂを押圧する。このようにストッパー９の曲線部９ｂを押圧することによって、該ストッパー９の曲線部９ｂが軸１３を中心として図１１の矢印Ｄ方向に回動して該ストッパー９の曲線部９ｂがロール保持部４の背面部４ｃの溝部１２に挿入され、また該ストッパー９の直線部９ａが図１１の矢印Ｅ方向に回動して該ストッパー９の挿入ピン９がロール３の孔１１及びロール保持部４の孔１０から抜き取られることとなる。このようにストッパー９の挿入ピン９ｃがロール３の孔１１から抜き取られることによって、ストッパー９のロール３への係止状態が解除されることとなる。
【００２８】
このようにしてストッパー９のロール３への係止状態が解除されることによってロール３が回転可能となり、それによって、図１２に示すように他方の手１６ｂでロール３に巻装された粘着シート２の先端部２ａ側を把持して、粘着シート２を図１２の矢印Ｆ方向に引き出すことが可能となる。
【００２９】
次に、引き出された粘着シート２の先端部２ａ側を図１３に示すように、うぶ毛を取ろうとする背中１７の所定位置に貼着し、ストッパー９を一方の手１６ａの指でストッパー９を押圧して該ストッパー９とロール３との係止が解除されたままの状態で、うぶ毛取り器本体１の柄５を把持している一方の手１６ａを上側から下側に向かって、すなわち図１４の矢印Ｇ方向に移動させることによって、同図に示すように、大きな面積で粘着シート２を背中に粘着させることができる。
【００３０】
このようにして所定の大きな面積で粘着シート２を背中に粘着させた状態において、一方の手１６ａの指をストッパー９から離すと、ストッパー９はバネの付勢力によって、その曲線部９ｂ及び直線部９ａが前記矢印Ｄ方向及びＥ方向と逆方向に回動して図１０に示すようにストッパー９の挿入ピン９ｃがロール３の孔１１に再度挿入されることとなり、それによってストッパー９がロール３に係止されてロール３の回動が阻止されることとなる。
【００３１】
このようにロール３の回動が阻止された状態で、図１５のようにうぶ毛取り器本体１を上側に持ち上げると、粘着シート２は同図の矢印Ｈ方向に示すように一部が背中から剥離され、さらにうぶ毛取り器本体１を上側に持ち上げることによって、図１６に示すように、粘着シート２の全体が背中から強制的に剥離されることとなる。
【００３２】
この場合において、粘着シート２の一面側には粘着剤が設けられているので、上記のように粘着シート２を背中から強制的に剥離することによって、背中のうぶ毛が背中から粘着シート２側へ移行し、それによって背中のうぶ毛が粘着シート２によって剥ぎ取られることとなるのである。
【００３３】
さらに、この場合において、上記のようにストッパー９によってロール３の回転が阻止されているので、粘着シート２を背中から強制的に剥離する際に、ロール３が回転して不用意に移動することがなく、従って、粘着シート２を背中から剥離する作業を容易に行うことができる。
【００３４】
以上のように、本実施形態においては、ロール３に巻装された粘着シート２の先端部２ａ側を背中に貼着し、その状態でストッパー９をバネの付勢力に抗して該ストッパー９の挿入ピン９ｃをロール３の孔１１から抜き取ってストッパー９とロール３との係止状態を解除し、その係止解除状態でうぶ毛取り器本体１を背中の上側から下側に向かって移動させることにより、背中に貼着された粘着シート２の先端部２ａ側が固定状態とされている一方で、その粘着シート２を巻装しているロール３が、うぶ毛取り器本体１の移動に伴って背中の上側から下側に向かって移動することとなり、その結果、ロール３に巻装されている粘着シート２を下側に引き出すことができ、粘着シート２の所定の大きい面積部分を背中に貼着させることができる。
【００３５】
このようにロール３から引き出されて大きい面積部分で背中に貼着された粘着シート２に、背中のうぶ毛も同時に貼着されることとなり、粘着シート２に背中のうぶ毛が貼着された状態において、把持したうぶ毛取り器本体１の柄５を背中から遠ざかるように上側に持ち上げることによって、背中に貼着されていた粘着シート２が背中から強制的に剥ぎ取られることとなり、それによってうぶ毛を背中から好適に離脱させることが可能となる。
【００３６】
従って、背中のうぶ毛が使用者から見えない部位であるにもかかわらず、上記のようなうぶ毛取り器本体１、粘着シート２、ロール３等の操作によって、うぶ毛を背中から好適に離脱させることができるので、背中のうぶ毛処理作業を非常に容易に行うことができることとなった。
【００３７】
また、このように粘着シート２を背中に貼着させた後、強制的に剥ぎ取ることによってうぶ毛を背中から離脱させることができるので、たとえばカミソリ刃等を用いる場合のように危険を伴うことがない。
【００３８】
尚、上記実施形態では、ロール保持部４が、両側部４ａ、４ｂ及び背面部４ｃを有する断面略コ字状に形成され、また柄５が、両側がわずかに湾曲した円弧面を有するような形状に形成されていたが、ロール保持部４や柄５の形状は上記実施形態に限定されるものではない。また、該実施形態では、ロール保持部４と柄５とが一体形成されていたが、別体の部材でロール保持部４と柄５とを構成することも可能である。要は、ロール３が保持されるロール保持部４と、該ロール保持部４に連設された柄５とでうぶ毛取り器本体１が構成されていればよい。
【００３９】
また上記実施形態では、うぶ毛取り器本体１の全体が合成樹脂によって構成されていたが、うぶ毛取り器本体１の材質も該実施形態の合成樹脂に限定されるものではない。
【００４０】
さらに、上記実施形態では、ロール３の両側面３ａ、３ａに軸支ピン６、６を軸支し、その軸支ピン６、６をロール３の側面３ａに穿設された孔７、及びうぶ毛取り器本体１のロール保持部４の両側部４ａ、４ｂに穿設された孔８に挿入することによって、該ロール保持部４にロール３を回転自在に保持させたが、ロール３をロール保持部４に保持させる構造も該実施形態に限定されるものではない。
【００４１】
さらに、上記実施形態では、ストッパー９に挿入ピン９ｃを設けるとともに、その挿入ピン９ｃの挿入可能な孔１１をロール３の側面３ａに穿設し、その挿入ピン９ｃを該孔１１に挿入することによってストッパー９とロール３とを係止状態とし、挿入ピン９ｃを該孔１１から抜き取ることによってストッパー９とロール３とを係止解除状態としたが、ストッパー９とロール３とを係止状態及び係止解除状態とする構成は、これに限定されるものではない。
【００４２】
また、該実施形態では、上記のようなストッパー９とロール３とを係止状態及び係止解除状態とするように構成したため、上記のように背中でロール３を移動させて貼着シート２を貼着する作業と、ロール３に巻装された貼着シート２を背中から強制的に剥離する作業とを容易に行うことができるという好ましい効果が得られたが、このようにストッパー９とロール３とを係止状態及び係止解除状態とするように構成することは本発明に必須の条件ではない。
【００４３】
その他、本発明の意図する範囲で任意に設計変更可能である。
【符号の説明】
【００４４】
１  うぶ毛取り器本体
２  粘着シート
３  ロール
４  ロール保持部
５  柄
９  ストッパー
【図１】
2011062349.tif 000003
【図２】
2011062349.tif 000004
【図３】
2011062349.tif 000005
【図４】
2011062349.tif 000006
【図５】
2011062349.tif 000007
【図６】
2011062349.tif 000008
【図７】
2011062349.tif 000009
【図８】
2011062349.tif 000010
【図９】
2011062349.tif 000011
【図１０】
2011062349.tif 000012
【図１１】
2011062349.tif 000013
【図１２】
2011062349.tif 000014
【図１３】
2011062349.tif 000015
【図１４】
2011062349.tif 000016
【図１５】
2011062349.tif 000017
【図１６】
2011062349.tif 000018